(57)【特許請求の範囲】
【請求項１】
第１及び第２の刃体と、これら両刃体を貫通し、一方の刃体とは回転不可に、他方の刃体とは回転自在に軸着する枢軸と、内径が枢軸の外径より小であり、前記枢軸に圧入される樹脂又はゴムの弾性体よりなるリング状のブッシュと、非圧縮状態での内径が前記ブッシュの外径より小であると共に、非圧縮状態での自然長が前記ブッシュの軸方向長さよりも長くなっており、前記枢軸に取着の前記ブッシュの外側に該ブッシュより突出した状態で密嵌され、かつ前記一方の刃体に形成され、前記枢軸が通される凹部に嵌着して前記一方の刃体に取付けられるコイルバネと、枢軸端に捩じ込まれ、前記コイルバネを直接或いは前記枢軸に通した座金を介して押えるナットを有することを特徴とする鋏。
【発明の詳細な説明】
【技術分野】
【０００１】
本発明は、理容院や美容院で用いられる理美容鋏、洋裁用鋏等の鋏に関する。
【背景技術】
【０００２】
図１は、鋏のうち、理髪用鋏について示すもので、指環部１、２を備えた第１及び第２の刃体３、４を基部において枢軸５により回動自在に軸着して枢軸端に捩じ込んだナット６により止着した構成を有しており、両刃体３、４の刃部ｂが互いに接触した状態で基部間には隙間を存し、ナットを捩じ込むことで基部間の隙間を調節し、刃部間の接触圧を調整できるようになっている。
【０００３】
ナットと刃体との間の枢軸に座金やコイルバネを取付けた鋏も知られ、このうちコイルバネを取付けた鋏は座金に比べ、広い調節巾にわたって刃体同士の接触圧が調節可能で、適度な接触圧が維持できる、としている（特許文献１）。
【０００４】
理髪用鋏にはこのほか、刃体が枢軸に対し傾いて開くことによる切れ味の低下を防ぐため、刃体が突出する枢軸のネジ部に樹脂製の弾性体を挿入すると共に、その外側にワッシャーを嵌挿し、ナットを捩じ込んで弾性体を圧縮し拡径することにより刃体と枢軸を一体化したものも知られる（特許文献２）。
【先行技術文献】
【特許文献】
【０００５】
【特許文献１】特開２００７−１７５２０３号
【特許文献２】特開２００８−１７４号
【発明の概要】
【発明が解決しようとする課題】
【０００６】
前述する鋏の枢軸構造において、枢軸は一般に角軸部と丸軸部を有し、第１の刃体と第２の刃体のうち、一方の刃体は枢軸の角軸部に嵌合して枢軸とは回転不可の静刃となり、他方の刃体は枢軸の丸軸部に嵌合して回転自在の動刃となっている。そしてコイルバネは静刃に取付けられるが、角軸部に嵌合する静刃の角孔と、角軸部との間には製作上、若干の遊びが生ずることは避けられず、これにより、静刃は鋏の開閉時に枢軸に対し多少のガタ付きを生じ、静刃のガタ付きに伴ないコイルバネもナット又は静刃との接触箇所がずれ、このために鋏のスムースな開閉が損われるようになる。
【０００７】
本発明は、ナットと刃体との間の枢軸にコイルバネを取付けた鋏における上記の問題を解決すると共に、枢軸に対する刃体の傾きを解消して図１に示す刃体３、４の先端部ａや刃部ｂが開くのを防止し、もって切れ味を向上させると共に、髪の毛が食い込んで鋏のスムースな開閉が損なわれることがないようにした鋏を提供することを目的とする。
【課題を解決するための手段】
【０００８】
請求項１に係る発明は、第１及び第２の刃体と、これら両刃体を貫通し、一方の刃体とは回転不可に、他方の刃体とは回転自在に軸着する枢軸と、内径が枢軸の外径より小であり、前記枢軸に圧入される樹脂又はゴムの弾性体よりなるリング状のブッシュと、非圧縮状態での内径が前記ブッシュの外径より小であると共に、非圧縮状態での自然長が前記ブッシュの軸方向長さよりも長くなっており、前記枢軸に取着の前記ブッシュの外側に該ブッシュより突出した状態で密嵌され、かつ前記一方の刃体に形成され、前記枢軸が通される凹部に嵌着して前記一方の刃体に取付けられるコイルバネと、枢軸端に捩じ込まれ、前記コイルバネを直接或いは前記枢軸に通した座金を介して押えるナットを有することを特徴とする。
【０００９】
【００１０】
【００１１】
【００１２】
【００１３】
【発明の効果】
【００１４】
請求項１に係る発明によると、コイルバネはブッシュより突出した状態でナットに押え込まれ、ナットを捩じ込むことで刃体同士の接触圧を調整できる機能を保持すること、コイルバネは非圧縮状態で内径が枢軸に圧入されるブッシュの外径よりも小であるため、ブッシュに密嵌し、またナットの捩じ込みにより圧縮されて拡径し、これにより前記一方の刃体の凹部周面に圧着するため枢軸、該枢軸に対し回転不可の一方の刃体（静刃）及び枢軸が一体化し、枢軸の角軸部と一方の刃体（静刃）の角孔との間に若干の遊びがあっても、これによってガタ付くことがなく、鋏のスムースな開閉が損なわれることがないこと、枢軸と一方の刃体（静刃）は一体化されるため、一方の刃体（静刃）が枢軸に対し傾くことがなく、したがって刃体の先端部や刃部が開いて切れ味が低下したり、髪の毛が鋏のスムースな開閉が損なわれることがないこと等の効果を有する。
【００１５】
【００１６】
【００１７】
【００１８】
【図面の簡単な説明】
【００１９】
【図１】従来の理美容鋏の平面図。
【図２】本発明に係る鋏の枢軸部分を示す断面図。
【図３】鋏の枢軸部分の参考例の断面図。
【図４】鋏の枢軸部分の別の参考例の断面図。
【図５】鋏の枢軸部分の更に別の参考例の断面図。
【図６】鋏の枢軸部分の更に別の参考例の部分断面側面図。
【図７】図６に示す枢軸構造と直交する部分での要部の部分断面側面図。
【図８】鋏の枢軸構造の更に別の参考例の部分断面側面図。
【図９】鋏の枢軸構造の他の参考例の部分断面側面図。
【発明を実施するための形態】
【００２０】
以下、本発明の実施形態の鋏に関する枢軸部分の構造を図面により説明する。
図２に示す鋏の枢軸構造において、それぞれ図示しない指環部を備えた一方の第１の刃体である静刃１１と他方の第２の刃体である動刃１２には、両刃１１及び１２を開閉可能に軸着するために枢軸としてのボルト１３が通され、該ボルト１３は頭部１３ａと、該頭部１３ａに続く丸軸部１３ｂと、該丸軸部１３ｂに続き、該丸軸部の外径を径とする円内に収まる角軸部１３ｃと、該角軸部１３ｃに続くネジ部１３ｄよりなって段付軸状をなし、前記動刃１２はボルト１３とは丸軸部１３ｂに嵌合することによって回転自在に、前記静刃１１はボルト１３の角軸部１３ｃに嵌合することによって回転止めされて軸支されている。
【００２１】
静刃１１は円形断面の凹部１４を有し、該凹部１４の周縁にはリング１５の嵌着によって環状の突起１６が外向き（図２においては上向き）に突出形成され、これにより凹部１４の深さを深くし、後述するコイルバネの下側部を装着したとき、該コイルバネが安定して支持されるようにしており、凹部底には前記ボルト１３の角軸部１３ｃが嵌挿される角孔１４ａが形成されている。
【００２２】
動刃１２は前記ボルト１３の丸軸部１３ｂが嵌挿される丸孔１８を有し、内側の静刃１１と接する面には、長円形の平溝が形成され、該平溝に前述の図示しない指環部側に向かい接点を含む範囲まで延びる長円形のフッ素樹脂シート１９が装着され、該シート１９は丸孔１８と合致し、ボルト１３が通される丸孔を備えており、鋏開閉時の両刃１１、１２における接点での動きがスムースに行えるようにしている。
【００２３】
前記ボルト１３が丸軸部１３ｂを動刃１２の丸孔１８に通し、角軸部１３ｃを静刃１１の角孔１４ａに通して両刃１１、１２を開閉自在に軸支したのち、静刃１１の角孔１４ａより突出するボルト１３のネジ部１３ｄに、内径がネジ部１３ｄの外径よりも小さな樹脂又はゴムの弾性体よりなるリング状のブッシュ２１がネジ部端より押込んで圧入され、その外側に非圧縮状態で内径がブッシュ２１の外径より小さく、かつ非圧縮状態での自然な長さがブッシュ２１の軸方向の長さよりも長いコイルバネ２２がブッシュ２１と凹部周面との間に押込まれてブッシュ２１より上向きに突出し、ネジ部１３ｄにナット２３を捩じ込んでコイルバネ２２を押え、圧縮すると、該コイルバネ２２がブッシュ２１への密嵌状態を維持して径方向に膨らみ、凹部周面に圧着して静刃１１とボルト１３を一体化させることができるようになっている。
【００２４】
本実施形態の枢軸構造によると、静刃１１とボルト１３が一体化され、ボルト１３の角軸部１３ｃと静刃１１の角孔１４ａの間に図示するような若干の遊びがあっても、これによってガタ付くことなく、静刃１１のボルト１３に対する傾きもなくなって刃体が開くことによる切れ味の低下が解消され、鋏のスムースな開閉が行われる。
【００２５】
図３は、鋏の別の枢軸構造の参考例を示すもので、一方の第１の刃体である静刃３２と、他方の第２の刃体である動刃３１には、両刃体３１、３２を開閉可能に軸着するために枢軸としてのボルト３３が通され、該ボルト３３は、角軸部３３ａと、ネジ部３３ｂと、非ネジ部を備え、第２の刃体である動刃３１とは非ネジ部により回転自在に、第１の刃体である静刃３２とは角軸部３３ａにて回転止めされて軸支されている。そして動刃３１より突出するボルト３３のネジ部３３ｂには、ナット３４が捩じ込まれている。ナット３４は動刃３１に面する側に凹部３５を形成し、該凹部３５に動刃３１より突出するボルト３３のネジ部３３ｂにコイルバネ３６が外嵌して装着される。コイルバネ３６は非圧縮状態の自然長で一部ないし大部分が前記凹部３５に納まり、図示するようにナット３４を捩じ込み、コイルバネ３６を圧縮すると、コイルバネ３６のほとんど全てが凹部３５内に納まるようになっている。
【００２６】
本参考例の鋏の枢軸構造によると、動刃３１と静刃３２の先端が開こうとすると、凹部３５の周りの規制部を構成するナット周壁のうちの一部である動刃３１の先端側（図１に示すａ）部分が動刃３１に当たって踏ん張ることで両刃３１及び３２の先端部が開くのが阻止される。また、両刃３１及び３２の刃部（図１に示すｂ）が開こうとすると、前述するように規制部を構成するナット周壁のうちの一部である、動刃３１の刃部とは反対側の峯部側部分が動刃３１に当たって踏ん張ることで両刃３１及び３２の刃部が開くのが阻止される。またナット３４と動刃３１との間の隙間は僅かで、切った髪の毛が凹部内に入り込んでコイルバネに纏い付いたり搦み付くことはほとんどない。
【００２７】
図４に示す鋏の枢軸構造は、動刃３１に深い凹部４０を形成すると共に、ボルト３２に捩じ込んだナット３４に前記凹部４０と合致する浅い凹部３９を形成し、前記コイルばね３６を両凹部３９及び４０に装着した例を示すもので、本参考例の鋏の枢軸構造においても、前記参考例の鋏の枢軸構造と同様の効果を生ずる。
【００２８】
図５に示す鋏の枢軸構造は、ボルト３３のネジ部３３ｂに捩じ込んだナット３８と動刃３１との間に外径がナット３８の外径と同一の金属ないし硬質樹脂製のリング状カラー４１を介在させ、鋏使用時には動刃３１より突出するボルト３３に装着されるコイルばね３６のほとんど全てがカラー４１内に納まるようになっている。
【００２９】
本参考例の鋏の枢軸構造によると、カラー４１の上縁とナット３８との間に若干の隙間があいた状態で動刃３１と静刃３２の先端が開こうとすると、規制部を構成するカラー上縁の周端面のうちの一部である、動刃３１の先端側（図１に示すａ）部分がナット３８に当たり、これにより両刃３１、３２の先端が開くのが阻止され、また両刃３１、３２の刃部（図１に示すｂ）が開こうとすると、カラー上縁の周端面のうちの一部である、刃部とは反対側の動刃３１の峯部側部分がナット３８に当り、これにより両刃３１、３２の刃部が開くのが阻止される。
【００３０】
本参考例で用いるナット３８としては、前記参考例で用いるナット３４のように凹部３５や３９のない既存のナットをそのまま用いることができる。
【００３１】
前記参考例の枢軸構造では、コイルバネ３６はいずれもナット３４及び３８により直接押えられているが、図６及び図７に示す参考例の鋏の枢軸構造では、動刃３２に形成の凹部４０に装着されるコイルばね３６はボルト３３に通され、かつ凹部４０に被さる座金４３を介してナット３８で押えられ、座金４３はボルト３３が嵌挿され、かつコイルバネ３６の上部が外嵌するボス部４４と、動刃３１の図示しない指環部側に延び、尾端が図示するように下向きに屈折して動刃３２に形成される係止凹部４５に嵌合係止し、座金４３の回り止めを行う係止部４６と、動刃３２の先端側（図１に示すａ）に形成され、動刃３２の刃先が開こうとするのを規制する規制部としての爪部４７と、凹部４０両側の刃巾方向の刃部及び峯部に向けて形成される一対の爪部４８とよりなり、峯側の爪部４８は刃部が開こうとするとき、動刃３１に当たって該動刃３１の刃部が開くのを規制する規制部となっている。
【００３２】
図８に示す参考例の枢軸構造における座金５０は、図６に示す参考例の枢軸構造における、座金４３に係止部４６を設ける代わりに止ネジ５１を設けたもので、該止ネジ５１は座金５０の指環部側に延びる部分の端部を通して動刃３１に捩じ込んで止着され、これにより座金５０の回り止めを行っている以外は、前記座金４３と同一構造となっている。
【００３３】
図９に示す参考例の枢軸構造における座金５３は、前記座金４３のボス部４４を有しない以外は、座金４３と実質的に同一構造となり、該座金４３と同一機能を果すようになっている。
【産業上の利用可能性】
【００３４】
前記実施形態の枢軸構造は理美容鋏に適用されるが、これ以外に洋裁用の鋏その他一般の鋏にも適用可能である。
【符号の説明】
【００３５】
１１、３１・・静刃
１２、３２・・動刃
１３、３３・・ボルト
１４、３５、３９、４０・・凹部
２２、３６・・コイルバネ
２３、３４、３８・・ナット
３１・・カラー
４３、５０、５３・・座金
４４・・ボス部
４５・・係止凹部
４６・・係止部
４７、４８・・爪部
５１・・止ネジ
【図１】
0005849375.tif 000002
【図２】
0005849375.tif 000003
【図３】
0005849375.tif 000004
【図４】
0005849375.tif 000005
【図５】
0005849375.tif 000006
【図６】
0005849375.tif 000007
【図７】
0005849375.tif 000008
【図８】
0005849375.tif 000009
【図９】
0005849375.tif 000010